(57)【要約】【課題】「カラー画像」、すなわち、「回折格子再生像もしくは、ホログラム再生像としての「カラー画像」」を記録した回折格子記録媒体、特に、多数の画素からなる「カラー画像」を回折格子を用いて記録した回折格子記録媒体において、その回折格子の中に目視では認識できない「隠し情報」を設けたとき、「隠し情報」の回折光が散乱してぞの画像にムラを生じ、おおよその位置が判明するという課題があった。【解決手段】「隠し情報」をその画素とは異なる画素で形成し、鮮明でムラの無い「カラー画像」を形成し、且つ、５倍〜１０倍程度の拡大により容易に「隠し情報」を判読できる回折格子記録媒体を得た。【選択図】  図１
2010072384.tif 000002
【特許請求の範囲】
【請求項１】
多数の画素から構成される「カラー画像」が、
Ｐ通りの色成分のそれぞれについてＱ通りの画素値のうちのいずれかが定義された多数の画素の集合として表現され、
所定の画素値に対応した面積をもった回折格子占有領域内に、所定の色成分の波長に対応したピッチで一定方向に前記回折格子線を配置することにより回折格子を形成し、この回折格子を所定の画素領域内に配置してなる画素パターンが、Ｐ通りの色成分およびＱ通りの画素値について（Ｐ×Ｑ）通り存在し、
前記「カラー画像」を構成する個々の画素に１対１に対応させて、記録媒体上にそれぞれ定義された画素領域を形成し、
前記「カラー画像」を構成する各画素について、Ｐ通りの色成分のうちのいずれか１成分のみが選択されていて、
前記各画素領域に、この画素領域に対応する画素について選択された色成分およびその画素値に基づいて、前記（Ｐ×Ｑ）通りの画素パターンのうちのいずれか１つが割り当てられ、各画素領域に割り当てられた画素パターンに応じた回折格子が、記録媒体上に形成されている回折格子記録媒体において、
前記「カラー画像」の全領域について、選択された色成分の分布が均一になるように、各画素についての色成分の選択を行うようにし、且つ、
前記画素領域の少なくとも一部に、３００μｍ以下の「所定情報」を表わす画素パターンを含み、その情報に割り当てられた画素パターンが、前記画素パターンと異なることを特徴とする回折格子記録媒体。
【請求項２】
前記情報に割り当てられた画素パターンが、前記画素パターンと、画素領域マトリックスサイズが異なることを特徴とする請求項１の回折格子記録媒体。
【請求項３】
前記情報に割り当てられた画素パターンが、前記画素パターンと、回折格子角度が異なることを特徴とする請求項１又は請求項２の回折格子記録媒体。
【請求項４】
前記情報に割り当てられた画素パターンが、前記画素パターンと、回折格子ピッチが異なることを特徴とする請求項１から請求項３の回折格子記録媒体。
【発明の詳細な説明】
【技術分野】
【０００１】
本発明は、「回折格子再生像もしくは、ホログラム再生像としての「カラー画像」を記録した回折格子記録媒体、特に、多数の画素からなる「カラー画像」を回折格子を用いて記録した回折格子記録媒体において、３００μｍ以下の「所定情報」（所定の文字、記号、図柄の何れか、または、これらの組み合わせ情報であって、マイクロ文字の様に隠し情報として含まれるもの）を表わす画素パターンであって、その情報に割り当てられた画素パターンが、前記画素パターンと異なるもので構成された、すなわち、隠し情報として含まれた偽造防止性に優れた回折格子記録媒体に関するものである。
その「カラー画像」は、個々の画素の輝度・色調に対応した、占有面積・ピッチを有する回折格子群によって構成され、その回折像として前記「カラー画像」を再生し得る回折格子記録媒体であるが、その「所定情報」は、画素パターンの要素である格子ピッチ、格子角度、格子密度の少なくともいずれかを「カラー画像」の画素パターンと異ならせたものであり、該当部分を拡大観察すると、目視にて容易に、その「所定情報」（隠し情報）を読み出すことができるようにした回折格子記録媒体に関するものである。
【背景技術】
【０００２】
（主なる用途）本発明の回折格子記録媒体の主なる用途は、偽造防止分野や意匠用途などに使用される回折格子記録媒体であって、具体的には、クレジットカード等の様に、カードデザインの一部としてその意匠性を求められると同時に、偽造されて使用されると、カード保持者やカード会社等に損害を与え得るもの、すなわち、運転免許証、社員証、会員証等の身分証明書、入学試験用の受験票、パスポート等、紙幣、商品券、ポイントカード、株券、証券、抽選券、馬券、預金通帳、乗車券、通行券、航空券、種々の催事の入場券、遊戯券、交通機関や公衆電話用のプリペイドカード等の分野に好適である。
【０００３】
これらはいずれも、経済的、もしくは社会的な価値を有する情報を保持した情報記録媒体であり、高い意匠性だけでなく、偽造による損害を防止する目的で、媒体そのものの真正性を識別できる機能を有することが望まれる。
【０００４】
また、これら情報記録媒体以外であって、高額商品、例えば、高級腕時計、高級皮革製品、貴金属製品、もしくは宝飾品等の、しばしば、高級ブランド品と言われるもの、または、それら高額商品の収納箱やケース等の分野、また、量産品でも有名ブランドのもの、例えば、オーディオ製品、電化製品等、または、それらに吊り下げられるタグ等の分野では、意匠性の高い「カラー画像」を提供して高級感を高めると共に、類似品か否かの判定ができることが必須とされる分野も好適である。
【０００５】
さらに、著作物である音楽ソフト、映像ソフト、コンピュータソフト、もしくはゲームソフト等が記録された記憶媒体等、高価な美術品、工芸品、例えば有名絵画やその複製であっても高額なもの等、またはそれらのケース等には、その内容をイメージした「カラー画像」をデザインとして使用する等によって付加価値が高くなる分野にも好適である。
【０００６】
（背景技術）
近年、カラーコピー機による金券類の偽造事件が頻発している。
そのために、高額紙幣や商品券等の金券類は、デザインの一部にカラーコピー機のセンサーでは読み取ることができない小さな網点や細線を、同じ反射濃度でデザインされた絵柄の中に組み込んでいる。その結果、これらの高額紙幣や商品券をカラーコピー機によって複写しようとすると、コピー機のスキャナーが小さな網点や細線を読み落とし、その部分が白く抜けることでコピー品であると判別している。
【０００７】
また、高度な複製技術を必要とするホログラムが、一部の高額紙幣や、その他の金券類に採用されている。ホログラムは、また、その凹凸面に金属の反射層を形成することにより、ホログラムをコピーした時にホログラム形成部を黒に再現するため、コピー牽制手段として利用されている。このようなホログラムには、三次元立体像ではなく二次元画像がモチーフとして用いられることが多い。
【０００８】
このようなホログラムを作成する第１の方法は、レーザ光を用いて干渉縞を形成させる光学的なホログラム撮影法である。すなわち、二次元画像が描かれた原稿を用意し、２つに分岐させたレーザ光の一方をこの原稿に照射し、その反射光と分岐したもう一方のレーザ光とを干渉させてその干渉縞を感光材に記録するのである。こうしてホログラム原版が作成できたら、この原版を用いて、プレスの手法によりホログラムを量産することができる。
【０００９】
ホログラムを作成する第２の方法は、媒体上に回折格子パターンを形成する方法である。この方法では、画像は、干渉縞パターンではなく、回折格子パターンとして記録されるため、この方法で記録された媒体に対しては、「ホログラム」という言葉を用いず、「回折格子記録媒体」という言葉を用いることにする（一般には、上述の第１の方法で作成された媒体も、この第２の方法で作成された媒体も、いずれも「ホログラム」と呼ばれることが多い）。
【００１０】
最近は、電子線描画によって回折格子パターンを形成する技術が確立されてきたため、この第２の方法によれば、印刷を上回る解像度をもったパターン形成が可能である。また、第１の方法によって形成した画像に比べて、より高い輝度をもった鮮明な画像が得られる。たとえば、回折格子パターンが形成された微小なドットの集合により、所定の絵柄を表現する方法や、多数の画素から構成される二次元画像を、回折格子パターンが形成された微小画素の集合として表現する方法等が、既に提案されている。
【００１１】
上述した第１の方法、すなわち、光学的なホログラム撮影方法には、鮮明なホログラム像が得られないという問題がある。すなわち、光学的に形成された干渉縞は、振動に敏感であるため、振動を完全に排除した環境でのホログラム撮影を行う必要がある。ところが、かなりの精度の防振台を用いて撮影を行っても、振動を完全に排除することは困難であり、このため、干渉縞の記録像にいわゆる「ボケ」が生じ、コントラストのある明るいホログラム像が得られないのである。また、用いるレーザ光の発振波長にもゆらぎが生じるため、くも硝子状ノイズが避けられない。このように、光学的なホログラム撮影には再現性が悪いという問題があるため、同じ原版を何枚か作成することも困難になる。
【００１２】
これに対して、上述した第２の方法、すなわち、電子線などによって描かれた回折格子パターンとして二次元画像を表現する方法では、鮮明な画像が得られ、しかも再現性の良い記録媒体の作成が可能である。しかしながら、この方法では、画像の一部に着色効果を与えるための手法はいくつか提案されているが、従来提案されている手法では、「カラー画像」をそのまま記録することはできない。いわゆる「ホログラム」の分野は、今後も益々需要が高まる分野であり、フルカラーの画像を鮮明に記録する技術が切望されている。
【００１３】
（先行技術）
この要望に応えるため、回折格子が形成された画素を平面的に配置することにより、多数の画素から構成される「カラー画像」を記録する方法が提案されている。（公知文献１：特開平８−０２１９０９）この方法において、記録媒体上には、元の「カラー画像」の個々の画素に対応して多数の画素領域が定義され、この画素領域内に、所定の回折格子が形成された画素パターンが割り付けられる。「カラー画像」を構成する各画素は、各色成分ごとに画素値をもっていて、各画素のもつ色成分は、回折格子のピッチにより表現される。
【００１４】
一方、各画素が各色成分ごとにもつ画素値成分は、回折格子を形成する格子占有領域の面積比によって表現される。予め画素領域の大きさを決めておき、この画素領域内の広い面積部分に回折格子を形成して、輝度の高い（すなわち画素値の大きな）画素が形成できるし、狭い面積部分に回折格子を形成すれば、輝度の低い（すなわち画素値の小さな）画素が形成できる。
【００１５】
このような原理により、ある特定の色のある特定の画素値に対応する画素パターンに、当該画素値に対応する面積部分に、当該特定の色に対応するピッチで、回折格子が形成される。このような画素パターンを必要な色数分、必要な画素値分、用意しておき、もとの「カラー画像」を構成する個々の画素に応じて、対応する画素パターンを割り当てて、もとの「カラー画像」を媒体上で回折格子を用いて表現している。
【００１６】
なお、同一の画像を表現するために用いる画素パターンについては、回折格子の格子線の配置角度はほぼ同一にしておく必要がある。格子線の配置角度が異なると、回折光が得られる観測方向が異なってしまうためである。同一の画像を表現するために配置されたすべての画素パターンが、同一の観測方向から同時に観測されなければ、正しい「カラー画像」が認識できなくなる。逆に、異なる複数の画像を同一の媒体上に記録するには、個々の画像ごとに、格子線配置角度が異なる画素パターンを用いればよい。
【００１７】
もとの「カラー画像」に基づいて回折格子パターンを割り当てる処理は、コンピュータによって実行することができる。また、個々の回折格子パターンは、電子線描画により媒体上に形成することができる。したがって、一度作成した回折格子パターンをデータとして保存しておき、このデータに基づいて再度回折格子記録媒体の作成作業を行えば、ほぼ同じ記録媒体を得ることができ、ほぼ完全な再現性が得られることになる。また、光学的な撮影を行う必要がないため、鮮明な画像が得られる。
【００１８】
しかしながら、これらの再生された「カラー画像」を目視で確認するだけでは、「カラー画像」としての見え方が酷似している偽造品と明確に区別することは容易ではない。また、種々の手段を用いて、回折格子記録面を拡大し、回折格子線の形状を確認したとしても、その真正性を断定し難いという欠点を有していた。
【００１９】
このような課題に対して、目視手段による判別が極めて困難な隠し情報を含む回折格子により構成された真贋識別構造及びその作製方法が提供されている（例えば、特許文献２参照）。特許文献２で開示されている技術は、回折格子で構成されたデザインの中に、第一の隠し情報を有し、その第一の隠し情報の中にさらに文字・記号又はこれらの組み合わせによる第ニの隠し情報を凹凸によって形成するものである。この第ニの隠し情報のサイズは、０．５μｍ〜５０μｍであり、簡易な顕微鏡を用いても判読が困難である。
【００２０】
また、例え第ニの隠し情報として形成されている凹凸の情報を精密な顕微鏡で判読したとしても、その情報は無秩序（ランダムな）情報であり、且つ、そのサイズも無秩序に形成されているため、偽造を試みる場合は、回折格子デザインの全ての部分の情報及びサイズを判読し尽くして再現しなければ真正なものを作ることは不可能であるため、高い偽造防止効果を有する。
【００２１】
【特許文献１】特開平８−０２１９０９号公報
【特許文献２】特開２００７−２９２８９９号公報
【発明の開示】
【発明が解決しようとする課題】
【００２２】
特許文献２に開示されている技術は、その無秩序性によって偽造防止効果を高めたものであるが、「無秩序」であることと、凹凸の「周期性」により透過光若しくは反射光の干渉を発生させて光を「強く」回折させるという「回折の原理・原則」とは、相反し、この技術により作成された回折格子またはホログラム全体を目視にて観察した場合、その回折画像やホログラム画像の明るさや色合いに大きなバラツキ・ムラが発生していた。
また、この隠し情報を読み出す際には、高倍率・高精度な顕微鏡を準備する必要があり
手間がかかるという課題があった。
【課題を解決するための手段】
【００２３】
前記課題を解決するために、
本発明の回折格子記録媒体の第１の態様は、
多数の画素から構成される「カラー画像」を、
Ｐ通りの色成分のそれぞれについてＱ通りの画素値のうちのいずれかが定義された多数の画素の集合として表現し、
所定の画素値に対応した面積をもった回折格子占有領域内に、所定の色成分の波長に対応したピッチで一定方向に前記回折格子線を配置することにより回折格子を形成し、この回折格子を所定の画素領域内に配置してなる画素パターンが、Ｐ通りの色成分およびＱ通りの画素値について（Ｐ×Ｑ）通り存在し、
前記「カラー画像」を構成する個々の画素に１対１に対応させて、記録媒体上にそれぞれ定義された画素領域を形成し、
前記「カラー画像」を構成する各画素について、Ｐ通りの色成分のうちのいずれか１成分のみが選択して、
前記各画素領域に、この画素領域に対応する画素について選択された色成分およびその画素値に基づいて、前記（Ｐ×Ｑ）通りの画素パターンのうちのいずれか１つが割り当てられ、各画素領域に割り当てられた画素パターンに応じた回折格子が、記録媒体上に形成されている回折格子記録媒体において、
前記「カラー画像」の全領域について、選択された色成分の分布が均一になるように、各画素についての色成分の選択を行うようにし、且つ、
前記画素領域の少なくとも一部に、３００μｍ以下の「所定情報」を表わす画素パターンを含み、その情報に割り当てられた画素パターンが、前記画素パターンと異なるものとしたものである。
【００２４】
「所定情報」のサイズは、３００μｍ以下であって１０μｍ以上、特に２００μｍ以下であって５０μｍ以上が望ましい。３００μｍを越えると、目視にて判読できてしまう。
１０μｍ以下だと、簡易な拡大鏡（ルーペ等、５倍〜１０倍のもの。）では判読できなくなる。「所定情報」を挿入する位置としては、帯状横方向、縦方向、斜め方向、もしくは離散的な位置に挿入することができる。そのサイズも離散的なものとすることもできる。
画素パターンの要素は、回折格子ピッチ、回折格子角度及び回折格子密度（画素領域の大きさを意味する。）からなるが、「所定情報」をあらわす画素パターンでは、少なくともこの要素の１つを、前記「カラー画像」を表わす画素と異ならせることで、「カラー画像」への影響を抑えつつ、該当部分を拡大した際、この「所定情報」を容易に認識することができるものとした。
【００２５】
「カラー画像」の個々の画素パターンは、「カラー画像」に対応してその要素を決定されるが、隠し文字等である「所定情報」に割り当てる画素パターンについては、回折格子ピッチ、回折格子角度及び回折格子密を大きく変更したものであってもよいが、「カラー画像」に溶け込ませるという意味では、回折格子ピッチでは、５％〜１００％、望ましくは、１０％〜５０％程度、回折格子角度でもその角度より、３度〜７０度、望ましくは５度〜４５度程度、又は、回折格子密度では、画素領域マトリックスの大きさで表わすと、５％〜１００％、望ましくは、１０％〜５０％程度、異ならせることが望ましい。もちろん、これら要素の二つ以上を異ならせてもよい。いずれも、変化が小さすぎると、拡大倍率を大きくしないと目視にて判読しにくくなり、変化を大きくしすぎると拡大しない状態で僅かに判読できてしまう。
【００２６】
これにより、「カラー画像」への影響を小さいものとし、且つ、この部分を拡大した際に、明確に「所定情報」を認識することができるものとすることができる。さらには、変化する画素パターンを敢て一種類に固定したり、全くランダムな画素パターンとして、「異なるもの」とすることもできる。
この「所定情報」は、任意でよく、ランダムなものであっても（ランダム数字発生器により発生したランダム数字など）、同一文字・記号・図柄の繰り返しとしてもよく、目視では確認困難な情報として組み込む情報であるため、セキュリティ用途として採用された上記カラーホログラム画像としての各種絵柄に関連する情報や、このカラーホログラム画像が転写もしくは貼付されるセキュリティ対象物に関連する情報もしくは、関連する商品や、その商品を提供する会社の名称、マーク等、本発明の回折格子またはホログラムの真正性を証明できる情報を盛り込むこともできる。
【００２７】
この「所定情報」に割り当てる画素パターンの回折格子パターンデータ（「実施するための最良の形態」にてその詳細を説明する。）と、「カラー画像」の回折格子パターンデータをパターン合成部（同上）において、合成し、最終的な回折格子パターンデータを出力する。この回折格子パターンデータを用いて、電子線リソグラフィー等を用いて回折格子記録原盤を得る。
次に、上記した回折格子記録原盤を用いて、シート状の回折格子記録媒体を作成する方法を述べる。
尚、電子線リソグラフィーに使用される電子線レジスト用化合物には、ポジ型として、ポリメチルメタクリレート、ポリオレフィンスルフォン等、ネガ型電子線レジストとして、不飽和系高分子、エポキシ樹脂、シリコーン樹脂等が用いられるが、カリックスアレーン系レジストは特に高解像度である。また、電子線描画装置としては、加速電圧が高い（５０kV以上）ものが好ましく、電子ビーム系をｎｍオーダーまで絞ることができる装置がより好ましい。
X線レジスト用化合物としては、ポリメチルメタクリレート等が用いられる。
【００２８】
回折強度を大きくするため、上記凹凸形状が回折格子線に沿った方向にもあまり変化しないよう配慮することはさらに望ましい。この回折格子記録原盤を用いて、回折格子またはホログラムの各種製造方法を採用することにより、高度な偽造防止性を有し、且つ、意匠性に優れる回折格子またはホログラムのシートや、ラベル、転写箔を製造し、セキュリティー性を付与すべき各種媒体へ形成して、各種媒体の真正性を証明することができる。
透明基材としては、厚みを薄くすることが可能であって、機械的強度や、回折格子記録媒体のシート、ラベル、及び転写シートを製造する際の加工に耐える耐溶剤性および耐熱性を有するものを使用する。使用目的にもよるので、限定されるものではないが、フィルム状もしくはシート状のプラスチックが好ましい。
【００２９】
例えば、ポリエチレンテレフタレート（ＰＥＴ）、ポリカーボネート、ポリビニルアルコール、ポリスルホン、ポリエチレン、ポリプロピレン、ポリスチレン、ポリアリレート、トリアセチルセルロース（ＴＡＣ）、ジアセチルセルロース、ポリエチレン／ビニルアルコール等の各種のプラスチックフィルムを例示することができる。
透明基材の厚さは、同様の配慮から、５〜５０μｍ、特に５〜１５μｍとすることが望ましい。転写シートを形成する際、透明基材１に、通常用いられる酢酸セルロース樹脂やメタクリル樹脂等からなる剥離層を設けても良い。
【００３０】
回折格子やそのホログラムを形成する層（以下、「ホログラム形成層」という。この形成層に形成した凹凸を「ホログラムレリーフ」ともいう。）を構成するための透明な樹脂材料としては、各種の熱可塑性樹脂、熱硬化性樹脂、もしくは電離放射線硬化性樹脂を用いることができる。熱可塑性樹脂としてはアクリル酸エステル樹脂、アクリルアミド樹脂、ニトロセルロース樹脂、もしくはポリスチレン樹脂等が、また、熱硬化性樹脂としては、不飽和ポリエステル樹脂、アクリルウレタン樹脂、エポキシ変性アクリル樹脂、エポキシ変性不飽和ポリエステル樹脂、アルキッド樹脂、もしくはフェノール樹脂等が挙げられる。
【００３１】
これらの熱可塑性樹脂および熱硬化性樹脂は、１種もしくは２種以上を使用することができる。これらの樹脂の１種もしくは２種以上は、各種イソシアネート樹脂を用いて架橋させてもよいし、あるいは、各種の硬化触媒、例えば、ナフテン酸コバルト、もしくはナフテン酸亜鉛等の金属石鹸を配合するか、または、熱もしくは紫外線で重合を開始させるためのベンゾイルパーオキサイド、メチルエチルケトンパーオキサイド等の過酸化物、ベンゾフェノン、アセトフェノン、アントラキノン、ナフトキノン、アゾビスイソブチロニトリル、もしくはジフェニルスルフィド等を配合しても良い。
【００３２】
また、電離放射線硬化性樹脂としては、エポキシアクリレート、ウレタンアクリレート、アクリル変性ポリエステル等を挙げることができ、このような電離放射線硬化性樹脂に架橋構造を導入するか、もしくは粘度を調整する目的で、単官能モノマーもしくは多官能モノマー、またはオリゴマー等を配合して用いてもよい。微細な凹凸を精密に複製するためには、この粘度を０．００１〜０．１パスカル秒とすると好適である。この精密性は、真正性判定において重要であり、原盤の形状を欠陥なく忠実に再現できること、さらには、複製後の収縮・膨張を小さくすることが可能となる電離放射線硬化方法が望ましい。
【００３３】
熱硬化性樹脂や電離放射線硬化性樹脂を用いる場合に、型面に未硬化の樹脂を密着させたまま、加熱もしくは電離放射線照射により、硬化を行わせ、硬化後に剥離することによって、硬化反応や熱変化による変形の少ないレリーフホログラムの微細凹凸を形成することができる。この方法によれば、０．０１μｍ程度の微細な凹凸変化も精密に複製することができる。
さらに、微細な形状を精密に再現する方法として、複製後の熱収縮などの歪みや変形を最小とするため、低温・高圧下で複製を行うことも好適である。
この場合、複製方式は、平板式もしくは、回転式を用い、線圧０．１トン／ｍ〜１０トン／ｍ、複製温度は、通常６０℃〜２００℃とすることが好適である。
【００３４】
さらに、ホログラム形成層のホログラムレリーフ面に、一部または全面に反射性薄膜層を形成する。この薄膜は、入射した光を反射する必要があるため、ホログラム形成層よりも高い屈折率を有する薄膜であれば、特に限定されない。
反射性薄膜としては、真空薄膜法などにより形成される金属薄膜などの金属光沢反射層、又は透明反射層のいずれでもよいが、金属光沢反射層を部分的に設けたり、透明反射層を設けた場合は、その反射層に接して設けたセキュリティ対象物をこの透明反射層を通して確認できるので好ましい。
【００３５】
透明反射層としては、ほぼ無色透明な色相で、その光学的な屈折率がホログラム形成層のそれとは異なることにより、金属光沢が無いにもかかわらず、ホログラムなどの光輝性を視認できることから、透明なホログラムを作製することができる。例えば、ホログラム形成層よりも光屈折率の高い薄膜、例として、ＺｎＳ、ＴｉＯ2、Ａｌ2Ｏ3、Ｓｂ2Ｓ3、ＳｉＯ、ＳｎＯ2、ＩＴＯなどがある。
【００３６】
好ましくは、金属酸化物又は窒化物であり、具体的には、Ｂｅ、Ｍｇ、Ｃａ、Ｃｒ、Ｍｎ、Ｃｕ、Ａｇ、Ａｌ、Ｓｎ、Ｉｎ、Ｔｅ、Ｔｉ、Ｆｅ、Ｃｏ、Ｚｎ、Ｇｅ、Ｐｂ、Ｃｄ、Ｂｉ、Ｓｅ、Ｇａ、Ｒｂ、Ｓｂ、Ｐｂ、Ｎｉ、Ｓｒ、Ｂａ、Ｌａ、Ｃｅ、Ａｕなどの酸化物又は窒化物他はそれらを２種以上を混合したものなどが例示できる。またアルミニウムなどの一般的な光反射性の金属薄膜も、厚みが２０ｎｍ以下になると、透明性が出てきて透明反射層として使用できる。
【００３７】
透明金属化合物の形成は、金属の薄膜と同様、ホログラム形成層のホログラムレリーフ面に、１０〜２０００ｎｍ程度、好ましくは２０〜１０００ｎｍの厚さになるよう、蒸着、スパッタリング、イオンプレーティング、ＣＶＤ（化学蒸着法）などの真空薄膜法などにより設ければよい。微細な凹凸を忠実に覆うには、特にＣＶＤが好適である。但し、ホログラムレリーフに接している面からの反射光だけでなく、反対面での反射光で同様の再生画像を得るためには、薄膜の凹凸をホログラムレリーフと同様の形状（追従する形）にする必要があり、上記薄膜の厚さを１０ｎｍ程度とする。
【００３８】
回折格子記録媒体は、転写形態で使用する場合は、上記反射層の上に、感熱接着剤層を形成して転写用フィルムと成し、熱せられた金属の型等によって、接着剤層を含めた極めて薄い樹脂層をセキュリティ対象物上に転写して使用する。
回折格子記録媒体をラベル形態で使用する場合は、上記反射層の上に粘着剤層を形成し、粘着剤面を剥離紙で被覆して、基材フィルムを剥離紙と一緒に所定の大きさに打ち抜いてラベルとし、剥離紙を剥がしてセキュリティ対象物に貼付して使用する。
【００３９】
もちろん、本発明の回折格子記録媒体が、その意匠性や、偽造防止性だけでなく、セキュリティ対象物の唯一の真正性証明手段ということであれば、セキュリティ対象物から容易に剥離可能であってはならず、セキュリティ対象物を成形加工する際に本発明の回折格子記録媒体を一体成形として埋め込んだり、本発明の回折格子記録媒体を剥離しようとした時、セキュリティ対象物もしくは、本発明の回折格子記録媒体そのものが破壊される等、セキュリティ対象物と一体不可分としてさらに偽造防止性を高めることも望ましい。
【００４０】
例えば、１ｍｍ板ガラス２枚の間に、５０μｍのガラス接着シートを介して本回折格子またはホログラムのシートを配し、１００℃、３ｋｇ／ｃｍ２の圧力で接着、固定することができる。また、アクリル樹脂を、１２０℃で２色成型（２種の樹脂を同時成形し、２層からなる成型品を作る方法。）するときに、その間に本回折格子またはホログラムのシートを挿入し、樹脂成型品の内部へ埋め込むことも好適である。さらに、証明カードの塩化ビニル製１００μｍオーバーシートの下に挟み込み、通常のカード加工によりカード内に留めることも好適である。
これらは、素材が透明であるので外部から光学的に「所定情報」を読み出すことができる。
【００４１】
セキュリティ対象物に設けた回折格子記録媒体を目視で観察すると、鮮やかなカラーホログラム画像を観察することができ、且つ、「所定情報」に該当する部分を拡大鏡等の容易に手に入る拡大機器を用いて５倍〜１０程度に拡大するだけで、容易にその「所定情報」を読み取ることができる。
この「所定情報」を偽造するためには、これまで述べた手順を実施しなければ実現することができないことから、高い偽造防止性を有し、真正性を照明する手段としても優れたものとすることができる。
また、本発明の回折格子記録媒体の第２の態様は、
前記情報に割り当てられた画素パターンが、前記画素パターンと、画素領域マトリックスサイズが異なるものを提供する。
【００４２】
マトリックスサイズを基本サイズと異なるものにすると、隣接するマトリックスとの段差が生じることになるが、その変化範囲を上記した範囲とすることで、その段差を画像品質や判読性に適したものとすることができる。
また、本発明の回折格子記録媒体の第３の態様は、
前記情報に割り当てられた画素パターンが、前記画素パターンと、回折格子角度が異なるものを提供する。
この角度の変化範囲を上記した範囲とすることで、その段差を画像品質や判読性に適したものとすることができる。
また、本発明の回折格子記録媒体の第４の態様は、
前記情報に割り当てられた画素パターンが、前記画素パターンと、回折格子ピッチが異なるものを提供する。
このピッチの変化範囲を上記した範囲とすることで、その段差を画像品質や判読性に適したものとすることができる。
【発明の効果】
【００４３】
本発明の回折格子記録媒体の第１の態様によれば、
多数の画素から構成される「カラー画像」が、
Ｐ通りの色成分のそれぞれについてＱ通りの画素値のうちのいずれかが定義された多数の画素の集合として表現され、
所定の画素値に対応した面積をもった回折格子占有領域内に、所定の色成分の波長に対応したピッチで一定方向に前記回折格子線を配置することにより回折格子を形成し、この回折格子を所定の画素領域内に配置してなる画素パターンが、Ｐ通りの色成分およびＱ通りの画素値について（Ｐ×Ｑ）通り存在し、
前記「カラー画像」を構成する個々の画素に１対１に対応させて、記録媒体上にそれぞれ定義された画素領域を形成し、
前記「カラー画像」を構成する各画素について、Ｐ通りの色成分のうちのいずれか１成分のみが選択されていて、
前記各画素領域に、この画素領域に対応する画素について選択された色成分およびその画素値に基づいて、前記（Ｐ×Ｑ）通りの画素パターンのうちのいずれか１つが割り当てられ、各画素領域に割り当てられた画素パターンに応じた回折格子が、記録媒体上に形成されている回折格子記録媒体において、
前記「カラー画像」の全領域について、選択された色成分の分布が均一になるように、各画素についての色成分の選択を行うようにし、且つ、
前記画素領域の少なくとも一部に、３００μｍ以下の「所定情報」を表わす画素パターンを含み、その情報に割り当てられた画素パターンが、前記画素パターンと異なることを特徴とする回折格子記録媒体を提供することができる。
【００４４】
また、本発明の回折格子記録媒体の第２の態様によれば、
前記情報に割り当てられた画素パターンが、前記画素パターンと、画素領域マトリックスサイズが異なることを特徴とする回折格子記録媒体を提供することができる。
また、本発明の回折格子記録媒体の第３の態様によれば、
前記情報に割り当てられた画素パターンが、前記画素パターンと、回折格子角度が異なることを特徴とする回折格子記録媒体を提供することができる。
また、本発明の回折格子記録媒体の第４の態様によれば、
前記情報に割り当てられた画素パターンが、前記画素パターンと、回折格子ピッチが異なることを特徴とする回折格子記録媒体を提供することができる。
以上のとおり本発明に係る回折格子記録媒体では、再現する「カラー画像」に対応して精密に設計された多数の画素からなる品質の優れたカラーホログラム画像を提供するとともに、その一部に微細な「所定情報」を、その多数の画素パターンと類似しているが、異なる画素パターン隠し情報として併せ持つ秘匿性及び偽造防止性を高めた隠し情報を含ませることができる回折記録媒体を提供することができる。
【発明を実施するための最良の形態】
【００４５】
以下、本発明を図示するいくつかの実施例に基づいて説明する。
（モノクロ画像を記録した回折格子記録媒体）
まずモノクロ画像を記録した回折格子記録媒体を簡単に説明する。
この回折格子記録媒体は、複数の画素の集合によって構成されるモノクロ画像を、媒体上に回折格子として表現したものである。ここでは、図１（ａ）  に示すような比較的単純なモノクロ画像（英文字の「Ａ」を示す）を回折格子記録媒体上に表現する方法について説明する。なお、以下の回折格子記録媒体の作成方法は、コンピュータを用いて実施することを前提としたものであり、これから説明する各処理は、いずれもコンピュータを用いて実行される。
【００４６】
まず、図１（ａ）  に示すモノクロ画像に対応する画像データとして、図１（ｂ）  に示すようなモノクロ画像の画素情報を用意する。ここに示す例では、７行７列に画素が配列されており、各画素は「０」または「１」のいずれかの画素値をもっており、いわゆる二値画像を示す情報となる。このような情報は、いわゆる「ラスター画像データ」と呼ばれている一般的な画像データであり、通常の作画装置によって作成することができる。あるいは、紙面上に描かれたデザイン画をスキャナ装置によって取り込むことにより、このようなモノクロ画像画素情報を用意してもかまわない。
【００４７】
続いて、図２に示すように、所定線幅ｄの格子線を所定ピッチｐおよび所定角度θで所定の格子占有領域Ｖ内に配置した画素パターンを定義する。ここで、格子占有領域Ｖは１つの画素を構成する領域であり、実際には非常に微小な要素になる。別言すれば、図１（ａ）  ，（ｂ）  に示した７×７の配列における１つ１つの画素に相当した大きさのものになる。この例では、格子占有領域Ｖとして、縦×横が５０μｍ×４５μｍの大きさの長方形を用いているが、もちろん、正方形（たとえば、５０μｍ×５０μｍ）や円などの他の形状のものを用いてもよい。
【００４８】
この格子占有領域Ｖ内に配置される格子線Ｌの線幅ｄおよびピッチｐも光の波長に準じた微小な寸法をもったものであり、この実施例では、線幅ｄ＝０．６μｍ、ピッチｐ＝１．２μｍである。要するに、格子線Ｌは回折格子としての機能を果たす線幅ｄおよびピッチｐで配置されている必要がある。格子線Ｌの配置角度θは、所定の基準軸に対して設定された角度である。本明細書では、図示するような方向にＸ軸およびＹ軸をとったＸＹ座標系を定義し、Ｘ軸を基準軸として格子線Ｌの配置角度θを表わすことにする。このような画素パターンも、コンピュータ上では画像データとして用意されることになる。なお、この画素パターンの画像データは、「ラスター画像データ」として用意してもよいし（この場合は、モノクロ画像を構成する１つ１つの画素が、更に微小な画素によって表現されることになる）、あるいは、格子線Ｌを構成する四角形の４頂点の座標値を指定することにより格子線Ｌの輪郭線を定義した「ベクトル画像データ」として用意してもよい。
【００４９】
次に、図１（ｂ）  に示すようなモノクロ画像の画素情報における各画素値に基づいて、図２に示すような画素パターンを所定の画素に対応づけ、各画素位置に、対応する画素パターンを配置する処理を行う。具体的には、図１（ｂ）  に示すモノクロ画像画素情報において、画素値が「１」である画素のそれぞれに図２の画素パターンを対応づける。画素値が「０」である画素には、画素パターンは対応づけられない。こうして対応づけられた画素位置に、それぞれ画素パターンを配置してゆく。いわば、図１（ｂ）  に示す配列を壁にたとえれば、この壁の中の「１」と描かれた各領域に、図２に示すようなタイルを１枚ずつ貼る作業を行うことになる。この結果、図３に示すような画像パターンが得られる。この画像パターンが最終的に回折格子記録媒体に記録されるパターンである。図１（ａ）  に示すモノクロ画像がそのまま表現されているが、１つ１つの画素は回折格子で構成されており、回折格子としての視覚的な効果が得られることになる。
【００５０】
もっとも、図２に示すような画素パターンを「タイル」として貼り付ける処理は、コンピュータ内での画像処理として行われる。この処理は、たとえば、図４に示すように、モノクロ画像全体に対応する画像の右下位置に座標原点Ｏをとった場合、貼り付けるべき画素位置に基づいたオフセット量ａ，ｂを演算により求め、画像データとしての貼り込み処理を行えばよい。このような演算処理の結果、図３に示すようなパターンを示す画像データが得られるので、この画像データに基づいて、図３に示すようなパターンをフィルムなどの上に物理的に出力すれば、所望の回折格子記録媒体が作成できることになる。実際には、コンピュータで作成した画像データを電子ビーム描画装置に与え、電子ビームにより図３に示すようなパターンを原版上に描画し、この原版を用いてプレスの手法で回折格子記録媒体（いわゆる「ホログラムシール」）を大量生産することも可能である。
【００５１】
（ 画素パターンの種類）
以上、モノクロ画像を構成する各画素に、回折格子が形成された画素パターンを割り付けることにより、回折格子記録媒体を作成する手法を説明した。本発明では、モノクロ画像ではなく「カラー画像」を回折格子記録媒体に記録しなければならない。そのためには、複数種類の画素パターンを用意しておき、これらを選択的に割り付ける手法を採る。そこで、まず、画素パターンとして、どのような種類があるかを考えてみる。図２に示す画素パターンは、所定の角度θにより、所定の線幅ｄをもった格子線Ｌを、所定のピッチｐで、所定の格子占有領域Ｖ内に配置したものである。ここで、配置角度θ、線幅ｄ、ピッチｐ、格子占有領域Ｖ、といった各パラメータを変えると、それぞれ異なる画素パターンが得られる。
【００５２】
たとえば、格子線の配置角度θを変えると、図５に示すような種々の画素パターンＰ１〜Ｐ５が得られる。この５種類の画素パターンＰ１〜Ｐ５では、配置角度が、θ＝０°，３０°，６０°，９０°，１２０°と５通りに異なっている（実際の格子線は所定の幅をもったものであるが、図示の便宜上、以下の図では格子線を単なる線で示すことにする）。この５種類の画素パターンＰ１〜Ｐ５では、回折光が観測される方向が異なる。すなわち、回折光は、基本的には、格子線の配置方向に対して直角な方向に得られるので、仮に、このような５種類の画素パターンＰ１〜Ｐ５を同一の媒体上に形成したとすると、この媒体を肉眼で観測するときの視線の角度によって、観測される画素パターンが異なることになる。たとえば、ある角度では、画素パターンＰ１が観測され、別な角度では、画素パターンＰ２が観測されることになる。もっとも、実際には散乱光も観測されるため、特定の視線角度で特定の画素パターンが完全に観測されなくなることはない。
【００５３】
それでは、格子線のピッチｐを変えるとどうであろう。たとえば、図６に示すように、ピッチが、ｐ＝０．８μｍ，０．９μｍ，１．０μｍ，１．１μｍ，１．２μｍと５通りに異なった５種類の画素パターンＰ６〜Ｐ１０を用意してみる。いずれも格子線の配置角度θ＝０と共通である。これらの画素パターンがどのように観測されるかを検討するために、図７の側面図を参照してみる。
ここでは、回折格子記録媒体１０上に、画素パターンＰ６〜Ｐ１０のいずれかが記録されているものとし、この回折格子記録媒体１０の垂直上方から白色光を当てながら、この白色光の照射方向に対して角度φだけ傾いた方向から観測を行うものとする。このような回折現象については、
ｐ・ｓｉｎφ  ＝  ｎ・λ
なるブラッグの式が知られている。ここで、ｐは回折格子のピッチ、φは回折角、λはこの回折角φの方向に得られる回折光の波長、ｎは回折光の次数である。したがって、観測方向を固定し（φが一定）、１次の回折光（ｎ＝１）だけを考慮することにすれば、この固定された観測方向において観測される回折光の波長λは、回折格子のピッチｐに基づいて一義的に定まることになる。
【００５４】
ここでは、より具体的な数値で考えてみる。たとえば、図７において、φ＝３０°となるような観測方向から観測する場合を考える。すると、ｓｉｎφ＝１／２となるので、１次回折光についてのｎ＝１の場合に、上述の式は、
ｐ・（１／２）  ＝  λ
となる。すなわち、この観測方向においては、回折格子ピッチｐの（１／２）の波長をもった１次回折光が観測されることになる。これを図６に示す画素パターンＰ６〜Ｐ１０に当てはめてみると、結局、画素パターンＰ６〜Ｐ１０からは、それぞれ４００ｎｍ，４５０ｎｍ，５００ｎｍ，５５０ｎｍ，６００ｎｍの回折光が観測されることになる。  続いて、格子占有領域Ｖを変えた場合を考えてみる。たとえば、図８に示すように、格子占有領域Ｖの面積が異なる５種類の画素パターンＰ１１〜Ｐ１５を用意してみる。
【００５５】
いずれも外枠は、この画素パターンを割り付ける対象となる画素領域を示している。画素パターンＰ１１では、格子占有領域Ｖの面積が０に設定されているため、この画素パターンを画素領域に割り付けても、回折格子は全く形成されないことになる。これに対して、画素パターンＰ１５では、格子占有領域Ｖの面積は外枠の画素領域の面積と等しく設定されているため、この画素パターンを画素領域に割り付ければ、画素領域全域に回折格子が形成されることになる（これまで述べてきた例では、いずれもこのように画素領域と格子占有領域Ｖとを一致させることが前提であった）。画素パターンＶ１２〜Ｖ１４は、これらの中間段階に対応するものである。
【００５６】
この５種類の画素パターンＰ１１〜Ｐ１５では、格子線の配置角度θおよびピッチｐは共通であり、回折格子が形成されている領域（格子占有領域Ｖ）の面積が異なっているだけである。このような面積の相違は、輝度の相違として観測されることは容易に理解できよう。各画素パターンから得られる回折光の総量は、回折格子が形成されている領域の面積に比例するため、より広い領域に回折格子が形成されている画素パターンほど、その画素パターンから得られる回折光の量は多くなり、輝度が高くなるのである。この他、格子線の線幅ｄを変えることにより、複数種類の画素パターンを用意してもよい。
【００５７】
（「カラー画像」形成の基本原理）
いま、多数の画素から構成される一般的な「カラー画像」（ラスター画像）を考える。この「カラー画像」を構成する個々の画素は、所定の色成分ごとに所定の画素値をもっている。本発明の基本原理は、個々の画素の色成分を、回折格子の格子線の配置ピッチにより表現し、個々の画素の画素値成分を、回折格子が形成されている格子占有領域の面積により表現することにある。
【００５８】
この原理をより具体的な例で説明しよう。一般的な「カラー画像」は、三原色の色成分ごとに画素値をもった画素の集合として定義される。以下、Ｒ，Ｇ，Ｂという三原色の各色成分ごとに、８ビットの画素値（０〜２５５）をもたせた画素によって、「カラー画像」が定義されている典型的な例について考える。既に述べたように、図６において、画素パターンＰ１０は波長６００μｍ、画素パターンＰ８は波長５００ｎｍ、画素パターンＰ６は波長４００ｎｍの回折光を特定の観測方向（図７における回折角φ＝３０°の観測方向）に提示する。これらの波長は、Ｒ，Ｇ，Ｂなる三原色の各波長にほぼ一致する。したがって、このような観測方向における１次回折光の観測を意図している限りにおいては、Ｒなる色成分についてはピッチ１．２μｍの画素パターンにより表現することができ、Ｇなる色成分についてはピッチ１．０μｍの画素パターンにより表現することができ、Ｂなる色成分についてはピッチ０．８μｍの画素パターンにより表現することができる。
【００５９】
一方、８ビットの画素値（０〜２５５）は、図８に示すように、格子占有領域Ｖの面積が異なる複数の画素パターンによって表現することができる。すなわち、図８に示す５種類の画素パターンＰ１１〜Ｐ１５において、外枠となる画素領域に対する格子占有領域Ｖの面積比を、それぞれ、（０／２５５），（６４／２５５），（１２８／２５５），（１９２／２５５），（２５５／２５５）と設定しておけば、これらの画素パターンは、それぞれ画素値０，６４，１２８，１９２，２５５に対応することになる。実際には、図８に示す５通りの画素パターンではなく、０〜２５５に対応した２５６通りの画素パターンを用意すればよい。もっとも、面積比の異なる何通りの画素パターンを用意すべきかは、表現すべき「カラー画像」の各色成分ごとの階調値の数に応じて適宜設定すればよい。８ビットの階調であれば、この例のように２５６通り（２８通り）を用意する必要があるが、４ビットの階調でよければ、１６通り（２４通り）を用意するだけですむ。
【００６０】
結局、Ｒ，Ｇ，Ｂという三原色の各色成分ごとに、８ビットの画素値（０〜２５５）をもたせた画素によって「カラー画像」を表現するためには、３×２５６＝７６８通りの画素パターンを用意しておけばよいことになる。図９は、このようにして用意した画素パターンのイメージを示す図である（便宜上、０〜２５５の２５６通りの画素値のうちの５通りの画素値についての画素パターンを代表として示してある）。原色Ｒ用の画素パターンＲ０〜Ｒ２５５には、いずれもピッチｐ＝１．２μｍで回折格子が形成されており、原色Ｇ用の画素パターンＧ０〜Ｇ２５５には、いずれもピッチｐ＝１．０μｍで回折格子が形成されており、原色Ｂ用の画素パターンＢ０〜Ｂ２５５には、いずれもピッチｐ＝０．８μｍで回折格子が形成されている。また、各原色用の２５６通りの画素パターンは、格子占有領域の画素領域に対する面積比がそれぞれ（０／２５５）〜（２５５／２５５）となっている。
【００６１】
このように７６８通りの画素パターンを用意しておけば、ＲＧＢの三原色のうちの任意の色成分についての任意の画素値に対応した画素パターンを提供することができる。なお、この７６８通りの画素パターンは、いずれも格子線配置角度θは同一（この例では、θ＝０°）となっている。これは、特定の観測方向から観測した場合に、この７６８通りの画素パターンのいずれについても回折光が得られる必要があるためである。もっとも、実際には格子線配置角度θが多少異なっても（僅かな差異のこと）、同一の観測方向から回折光が観測できるので、このように同一の観測方向から回折光が観測できるという条件の範囲内で、格子線配置角度は多少異なっていてもかまわない。
【００６２】
なお、図９に示す例では、いずれも各格子占領領域の左上隅を、各画素領域の左上隅に揃えて配置しているが、必ずしもこの位置に揃えて配置する必要はなく、右下隅位置を揃えたり、中央に配置したり、自由に配置を設定することができる。
三原色からなる「カラー画像」を表示する場合、画像全体に三原色の分布が均一になっていないと自然な表示を行うことができない。そこで本実施例では、図１０に示すような画素領域マトリックスを定義し、このマトリックスに従って、各原色用の画素パターンを配置するようにしている。いずれも３行３列からなる画素領域マトリックスであるが、図１０（ａ）  に示す画素領域マトリックスでは、１行目に、ＲＧＢなる三原色が順番に配置され、２行目以後は、前の行の配置を右方向にずらしている。これに対し、図１０（ｂ）  に示す画素領域マトリックスでは、２行目以降は、前の行の配置を左方向にずらしている。いずれの画素領域マトリックスを用いても、均一な三原色分布が得られる。
【００６３】
このように画素領域マトリックスを定義したら、この画素領域マトリックスを縦横に多数配列することにより多数の画素領域を形成する。そして、個々の画素領域内に、この画素領域マトリックスに示されている原色用の画素パターンを配置するようにする。こうすれば、画像全体において、均一な三原色分布が得られることになる。図１１は、単一の画素領域マトリックスに対して、それぞれ画素パターンを配置した例である。各画素領域には、種々の画素パターンが配置されているが、図１０（ａ）  に示す画素領域マトリックスの色配列に従った配置がなされている。
【００６４】
画素領域マトリックスは、図１０に示したものに限定されるものではなく、少なくとも用いる色の数（この例の場合は３）に対応した数の画素領域をもったマトリックスであれば、どのようなマトリックスを用意してもかまわない。ただし、各色に強弱の差ができないように、単位画素領域マトリックス内における各色の数を等しくするのが好ましく、単位画素領域マトリックス内において、各色が均一に分布しているようなマトリックスにするのが好ましい。図１０に示す例では、９つの画素領域内にＲＧＢのいずれの色も３個ずつ配置されており、かつ、均一に分布している。
【００６５】
（本発明による回折格子記録媒体を作成する方法）
これまでの説明により、本発明の基本原理は理解できたであろう。そこで、本発明により「カラー画像」を記録した回折格子記録媒体を作成する具体的な方法についての説明を以下に行うことにする。
はじめに、「カラー画像」をラスターデータの形式で用意する。ここでは、図１２に示すように、６行６列に配列された３６個の画素からなる「カラー画像」を例にとって説明する。実際には、より大きな画素配列をもった「カラー画像」を用いるのが一般的である。このような「カラー画像」は、グラフィックアプリケーションソフトウエアを用いてコンピュータにより発生させることもできるし、スキャナ装置などを用いて原画をデジタルデータとして入力することにより用意することもできる。
【００６６】
図１２に示すように、この「カラー画像」を構成する３６個の画素は、それぞれ、ＲＧＢの三原色についての画素値をもっている。たとえば、１行１列目の画素は、原色Ｒについての画素値Ｒ（１，１）と、原色Ｇについての画素値Ｇ（１，１）と、原色Ｂについての画素値Ｂ（１，１）と、を有し、一般に、ｉ行ｊ列目の画素は、原色Ｒについての画素値Ｒ（ｉ，ｊ）と、原色Ｇについての画素値Ｇ（ｉ，ｊ）と、原色Ｂについての画素値Ｂ（ｉ，ｊ）と、を有する。これらの画素値は、本実施例では、いずれも８ビットで表され、０〜２５５のいずれかの値をもっているものとする。
【００６７】
こうして用意した６行６列の画素に対応して、６行６列に配列された画素領域を用意する。そして、ｉ行ｊ列目の画素と、ｉ行ｊ列目の画素領域とを１対１に対応させ、各画素領域には、対応する画素のもつ画素値に基づいて選択された１つの画素パターンを割り付けるのである。ただし、１つの画素は、３つの色成分についてそれぞれ画素値をもっているので、各画素について、３つの色成分のうちの１つを選択する処理を行う。この処理において選択されなかった２つの色成分の画素値は、最終的に作成された回折格子記録媒体には反映されないことになる。別言すれば、３つの色成分の画素値情報のうち２つは間引きされることになる。
【００６８】
この色成分の選択（あるいは間引き）は、「カラー画像」の全領域について、選択された色成分の分布が均一になるように行う。図１２に示す「カラー画像」に対して、このような選択（あるいは間引き）を行った一例を図１３に示す。二本線で抹消された画素値が間引きされた色成分であり、残った画素値が選択された色成分である。
この図１３に示す選択は、図１０（ａ）  に示す画素領域マトリックスに基づいて、行ったものである。すなわち、図１０（ａ）  に示す画素領域マトリックスを縦横に２つずつ配置して６行６列の配列を作り、図１２に示す画素配列に対応づけ、各画素について、画素領域マトリックス内に示された色成分を選択して残すようにしたのである。その結果、図１３において抹消されずに残った３つの色成分の分布は均一になっている。
【００６９】
このような選択処理（間引処理）を行えば、１つの画素は選択された色成分についての１つの画素値のみをもつことになる。そこで、この６行６列の画素に対応して用意した６行６列の画素領域のそれぞれに、対応する画素のもつ画素値に応じた画素パターンを割り付けるのである。たとえば、図１３に示す選択処理（間引処理）の結果、図１４に示すような６行６列の画素配列が得られるので、図１５に示すような６行６列の画素領域配列を用意し、各画素領域内に、たとえば、図１５に示されているような特定の画素パターンを割り付けるのである。
【００７０】
より具体的に説明すれば、図１４における１行１列目の画素値Ｒ（１，１）＝「６４」の場合は、図９に示す７６８通りの画素パターンの中の画素パターンＲ６４を選択し、この画素パターンＲ６４を図１５における１行１列目の画素領域に割り付けることになる。図１５は、画素値Ｒ（１，１）＝「６４」、画素値Ｇ（１，２）＝「１９２」、画素値Ｂ（１，３）＝「１２８」、画素値Ｒ（１，４）＝「０」、…、といった具体的な場合を例として示したものである。
【００７１】
こうして、図１５に示す３６個の画素領域のすべてに、それぞれ特定の画素パターンが割り付けられれば、これら個々の画素パターンを合成したパターンが、媒体に記録すべき回折格子パターンとなる。図１５に示す各色成分ごとの画素パターンの割り付け態様は、図１０（ａ）  に示す画素領域マトリックスに従ったものになっており、各色成分についての画素パターンの分布が均一になっている。このような回折格子パターンを媒体上に形成し、前提となった所定の観測方向から観測すれば、もとの「カラー画像」が観測されることになる。
【００７２】
（参考例としての回折格子記録媒体を作成する方法）
上述した方法では、もとの「カラー画像」に用意された画素値のいくつかは間引きされ、最終的に作成された回折格子記録媒体には、もとの「カラー画像」の一部の情報しか反映されないことになり、画質が低下することになる。ここに参考例として示す方法では、もとの「カラー画像」がもっていたすべての情報を回折格子記録媒体上に反映し、画質の低下を防ぐことができる。
【００７３】
ここでは、上述の方法と同様に、図１２に示すような６行６列の画素からなる「カラー画像」が用意されたものとして説明を行う。こうして用意した６行６列の画素に対応して、１つの画素に対して３行３列に配列された画素領域を用意する。図１６は、こうして用意した画素配列を示しており、実線で示した６行６列の配列は、図１２の画素配列に対応したものであり、破線で示した３行３列の配列は、１画素に対して対応づけられた９つの画素領域を示すものである。結局、図１６において、３６×９個の画素領域が定義されたことになる。
【００７４】
続いて、この図１６に示す個々の画素領域に対して、図１０（ａ）  に示す画素領域マトリックスを適用して、図１２に示す各画素の各色成分ごとの画素値を対応させる。図１７は、このような対応づけを行った結果を示す部分拡大図である。たとえば、１行１列目の画素に対応する９つの画素領域には、原色Ｒについての画素値Ｒ（１，１）と、原色Ｇについての画素値Ｇ（１，１）と、原色Ｂについての画素値Ｂ（１，１）とが、画素領域マトリックスの色配置に基づいてそれぞれ対応づけられている。３つの原色成分についての画素値は、９つの画素領域のいずれかに対応づけられ、間引かれることはない。この後は、各画素領域に対応づけられた画素値に基づいて、特定の画素パターンを割り付ければよい。たとえば、画素値Ｒ（１，１）＝「６４」であれば、図１７において、Ｒ（１，１）と記された３か所の画素領域には、画素パターンＲ６４が割り付けられることになる。
【００７５】
この参考例として示す方法によって、前述の本発明に係る方法で作成した回折格子記録媒体と同じ寸法の記録媒体を作成しようとする場合には、本発明に係る方法で定義した画素領域の（１／９）の大きさの画素領域を定義する必要がある。このため、画素パターンも（１／９）の大きさのものを用意する必要があり、本発明に係る方法と比べて、より微細なパターン形成技術が必要になる。しかしながら、画素値の間引きは行われないため、高画質の「カラー画像」記録が可能になる。
【００７６】
（より好ましい回折格子記録媒体）
図１８は、本発明に係る回折格子記録媒体のより好ましい一態様を示す図である。ここに示す回折格子記録媒体１０には、絵柄領域１１と、位置合わせマーク１２と、観測角度指標領域１３と、が形成されている。絵柄領域１１には、これまで述べてきた方法により「カラー画像」が記録されており、回折格子記録媒体としての本来の機能を果たす領域である。位置合わせマーク１２は、この回折格子記録媒体１０を他の印刷物と貼り込み合成する場合の位置合わせに利用する指標（いわゆるトンボ）である。観測角度指標領域１３は、この回折格子記録媒体１０を観測する場合に、観測者に対して正しい観測角度を示すための指標である。
【００７７】
この実施例では、この観測角度指標領域１３は、４つの領域ＭＲ，ＭＧ，ＭＢ，ＭＷから構成されている。領域ＭＲは、各色成分ごとの画素値がＲ＝２５５，Ｇ＝０，Ｂ＝０に設定された多数の画素によって構成されており、領域ＭＧは、各色成分ごとの画素値がＲ＝０，Ｇ＝２５５，Ｂ＝０に設定された多数の画素によって構成されており、領域ＭＢは、各色成分ごとの画素値がＲ＝０，Ｇ＝０，Ｂ＝２５５に設定された多数の画素によって構成されており、領域ＭＷは、各色成分ごとの画素値がＲ＝２５５，Ｇ＝２５５，Ｂ＝２５５に設定された多数の画素によって構成されている。したがって、この回折格子記録媒体１０を、前提となる正しい観測方向（上述の例の場合、図７においてφ＝３０°の方向）から観測した場合、領域ＭＲ，ＭＧ，ＭＢ，ＭＷは、それぞれ赤，緑，青，白の色を提示する領域として観測されることになる。
【００７８】
結局、この回折格子記録媒体１０の絵柄領域１１に記録されている「カラー画像」を、作成者が意図している本来の正しい「カラー画像」として観測するには、領域ＭＲ，ＭＧ，ＭＢ，ＭＷが、それぞれ赤，緑，青，白の色として見えるような観測方向から観測すればよいことになる。したがって、この回折格子記録媒体１０を手にした観測者は、回折格子記録媒体１０の角度を試行錯誤でいろいろ変化させながら、観測角度指標領域１３が赤，緑，青，白の４領域に見えるような観測角度を探し、この観測角度から絵柄領域１１に記録された「カラー画像」を観測すればよいことになる。もっとも、これは「カラー画像」を正しい色合いで鑑賞するための観測方法であり、このような特定の観測角度以外から観測した場合も、「カラー画像」の観測は可能であり（正しい色合いにはならないが）、偽造防止のためのセキュリティチェックを行う上で、必ずしも、このような特定の観測方向から観測する必要があるわけではない。
【００７９】
（複数の「カラー画像」を記録する実施例）
これまでの実施例は、いずれも単一の「カラー画像」を記録した回折格子記録媒体についてのものであった。ここでは、複数の「カラー画像」を１枚の回折格子記録媒体に重畳して記録するための手法について説明する。
上述した実施例では、図９に示すように、７６８通りの画素パターンを用意し、これらを適宜選択しながら各画素領域に割り付けていた。この７６８通りの画素パターンは、格子線の配置ピッチｐや格子占有領域Ｖの面積がそれぞれ異なるが、格子線の配置角度θは一定で、この例の場合、すべての画素パターンについてθ＝０°（図の水平方向）に設定されている。
【００８０】
複数の「カラー画像」を記録する場合には、各「カラー画像」ごとに、格子線の配置角度が異なった画素パターンを用意すればよい。たとえば、第１の「カラー画像」を記録するために、図９に示すような格子線配置角度θ＝０°の７６８通りの画素パターンを用意し、第２の「カラー画像」を記録するために、格子線配置角度θ＝４５°の７６８通りの画素パターンを用意すれば、第１の「カラー画像」は配置角度θ＝０°の回折格子を用いて記録され、第２の「カラー画像」は配置角度θ＝４５°の回折格子を用いて記録されることになる。したがって、同一の媒体上に第１の「カラー画像」と第２の「カラー画像」とが重畳して記録されていたとしても、第１の観測方向から観測すれば第１の「カラー画像」が観測され、第２の観測方向から観測すれば第２の「カラー画像」が観測されるようになる。
【００８１】
ところで、同一の媒体上に２つの「カラー画像」を重畳して記録するといっても、２つの回折格子自体が重なってしまっては、所期の回折現象を得ることができなくなる。少なくとも格子占有領域は空間的に重ならないように配置しなければならない。このような配置は、たとえば、図１９に示すような配置方法を採れば実現できる。この図１９に示す例では、３行３列に配列された各画素領域について、左上部分に第１の「カラー画像」のための格子占有領域（格子線配置角度θ＝０°）が配置され、右下部分に第２の「カラー画像」のための格子占有領域（格子線配置角度θ＝４５°）が配置されている。
【００８２】
いわば、画素領域内の格子占有領域以外の空領域を有効利用した配置方法である。ただし、この配置方法では、画素値の自由度は若干阻害される。すなわち、２つの「カラー画像」において、同じ位置の画素の同じ色成分の画素値の和が２５５を越えると、左上部分に配置した格子占有領域と右下部分に配置した格子占有領域とが、部分的に重なり合ってしまうために問題が生じる。したがって、このような問題が生じないように、２つの「カラー画像」の各画素の画素値をうまく設定してやる必要がある。
【００８３】
別な方法として、２つの「カラー画像」についての画素領域を完全に別個独立に定義してやる方法がある。すなわち、上述の方法では、図２０（ａ）  に示すように、同一の画素領域の左上部分に第１の画像Ｉを割り当て、右下部分に第２の画像ＩＩを割り当てていたが、この方法では、図２０（ｂ）  に示すように、１つの画素領域を更に４つに分割し、右上および左下の画素領域には第１の「カラー画像」Ｉを割り当て、左下および右上の画素領域には第２の「カラー画像」ＩＩを割り当てるのである。
【００８４】
この場合、もとの「カラー画像」の１画素に対して、図２１に示すような６行６列の画素領域が定義され、個々の画素領域に所定の画素パターンが割り付けられることになる。ここで、ＲＩ，ＧＩ，ＢＩと記した画素領域には、第１の「カラー画像」Ｉを表現するための画素パターン（格子線配置角度θ＝０°）が割り付けられ、ＲＩＩ，ＧＩＩ，ＢＩＩと記した画素領域には、第２の「カラー画像」ＩＩを表現するための画素パターン（格子線配置角度θ＝４５°）が割り付けられることになる。この方法では、２つの「カラー画像」の各画素の画素値についての制約はないが、回折格子が形成されていない空領域の有効利用ができないため、前述した方法に比べて、全体的な画像の輝度は低下する。
【００８５】
（本発明に係る回折格子記録媒体を作成する装置例）
最後に、本発明に係る回折格子記録媒体を作成する装置の一例を、図２２に示すブロック図に基づいて簡単に説明しておく。「カラー画像」生成部１は、グラフィックスアプリケーションソフトウエアなどを搭載したコンピュータによって構成され、ＲＧＢの三原色の画素値が定義された多数の画素の集合として「カラー画像」を作成できる。一方、「カラー画像」入力部２は、スキャナ装置などにより構成され、紙面上に描かれたカラー原稿などから、「カラー画像」を入力する機能を有する。いずれの装置を用いた場合であっても、結果的に、２５６階調のＲＧＢ画素データが用意できることになる。
【００８６】
画素パターンファイル３は、たとえば、図９に示すような７６８通りの画素パターンをデータとして記憶するファイルであり、コンピュータ用のメモリや磁気記録装置によって構成されている。もっとも、このような画素パターンのデータは、必ずしも実際のパターンデータとして用意しておく必要はなく、必要な画素パターンを適宜発生できるような計算式として用意しておいてもよい。
【００８７】
パターン合成部４は、「カラー画像」生成部１あるいは「カラー画像」入力部２から与えられた２５６階調のＲＧＢ画素データに基づいて、所定の大きさの画素領域の配列を定義し、各画素領域に対して、画素パターンファイル３内に用意された画素パターンを選択的に割り付ける処理を行う。この割り付け処理は、§７までに述べたとおりであり、このパターン合成部４も、コンピュータによって構成される。こうして、パターン合成部４からは、回折格子パターンデータが出力される。
【００８８】
こうして出力された回折格子パターンデータは、データフォーマット変換装置５を介して、電子ビーム描画装置６に与えられる。データフォーマット変換装置５は、パターン合成部４で作成された回折格子パターンデータのデータフォーマットを、電子ビーム描画装置６が取り扱えるデータフォーマットに変換する処理を行う装置である。電子ビーム描画装置６は、半導体マスクなどの作成に利用されている一般的な描画装置であり、電子ビームを用いて回折格子パターンを所定の媒体上に描画し、回折格子原版７を作成する。この回折格子原版７を用いて、プレス装置８により印刷の手法により、多数の回折格子記録媒体９を作成することができる。
【００８９】
このように、電子ビームを用いると、非常に高精度に回折格子を描画することができ、干渉縞により作成したホログラムに比べて、鮮明で輝度の高い画像を記録することができる。また、解像度の点においても、通常の印刷では１６画素／ｍｍ程度が標準であるが、本発明に係る回折格子記録媒体では、２０画素以上／ｍｍの解像度が得られ、カラー写真なみの画質を得ることができる。
【００９０】
更に、ＲＧＢの三原色による加色混合により「カラー画像」を表現するという点では、カラーディスプレイなどと同様であるが、本発明に係る回折格子記録媒体では、三原色が回折格子で分光された光であるため、カラーディスプレイで使用している蛍光体から得られる三原色に比べて単色性にすぐれ、色再現が鮮明になる。したがって、商品パッケージやラベルなどに利用すると、大きな宣伝効果が期待できる。また、フルカラーでの画像表現が可能になるため、写真と文字とを同一の媒体上に記録することができ、更に、ロゴや絵柄を光った態様で表現することもできる。このため、店頭陳列時に高いアピール効果も得られる。
【００９１】
もちろん、セキュリティを確保するための偽造防止用シールとしての効果も大きい。すなわち、電子ビームによる描画工程は、高度の技術と設備が必要になるため、レーザを利用して干渉縞を記録する方法に比べて、偽造は非常に困難になる。
【実施例】
【００９２】
（実施例１）
電子線レジストを０．３μｍ形成したパターン形成基盤に、「カラー画像」を図２３の「自由の女神」とし、「所定情報」を高さ３００μｍの「ＵＳＡＵＳＡＵＳＡ」として、帯状に含め、変更する画素パターン用のデータとして、「無作為」に画素データを発生させたもの（「所定情報」用の画素データ）を、「カラー画像」の画素パターンに挿入して用意した電子線描画用制御データ（回折格子パターンデータ）により、電子ビームの強度を変化させながら、「カラー画像データ」に沿って電子ビームを照射した。
この基盤を現像処理して、所望の凹凸レリーフ原盤を得た。
【００９３】
この原盤と、１６μｍ厚さのポリエチレンテレフタレート（東レ製「ルミラー」）との間に、電離放射線硬化性樹脂として、
・＜電離放射線硬化組成物Ａ＞
２−ヒドロキシエチルアクリレート                                １００重量部
ジブチルチンジラウリレート                                      ０．１重量部
イソシアン酸メチル                                                ５０重量部
を反応させて得られた電離放射線硬化組成物Ａを用いて、
・＜電離放射線硬化組成物Ｂ＞
電離放射線硬化組成物Ａ                                            ８０重量部
ポリウレタン樹脂（デスモコール130、住友バイエルウレタン社製）    ２０重量部
上記、電離放射線硬化組成物Ｂを作製し、この電離放射線硬化組成物Ｂを１０μｍ導入して、フィルムを送り出しながら電子線照射装置「エレクトロカーテン」（アメリカのESI社製）を用い、150KeV、15ｍＡの条件で30ｋＧｙの線量を照射して、硬化させた。
【００９４】
この後、原盤と電子線レジストを剥離、除去し、硬化した透明な樹脂材料からなる層の片面にカラーホログラムの微細凹凸を形成することができた。
この透明樹脂の表面に真空蒸着法によりアルミニウム薄膜１００ｎｍを形成し、ホログラムシートとした。このホログラムシートに接着剤を塗工し、パスポートの顔写真を一部覆うように接着した。
このパスポートのホログラム部分をハロゲンランプで照明し、目視で観察すると、鮮明なカラーホログラムである「カラー画像」を認識することができた。しかも、「所定情報」があることを見出すことはできなかった。
さらに、倍率５倍の拡大鏡で拡大して確認したところ、「所定情報」である「ＵＳＡＵＳＡＵＳＡ」を明確に判読することが出来、「カラー画像」との関連からこのパスポートが真正であると判断できた。
【００９５】
（実施例２）
「カラー画像」を図２３の「所定情報」を高さ２００μｍの「ＵＳＡＵＳＡＵＳＡ」として、帯状に含め、画素パターンとして、「カラー画像」の画素領域マトリックスサイズ３０μｍ×３０μｍに対して、２５μｍ×２５μｍとして作成した画素パターンデータを、、「カラー画像」の画素パターンに挿入して用意した制御データにより、電子ビームの強度を変化させながら、「カラー画像データ」に沿って電子ビームを照射した以外は、実施例１と同様にして作成し、実施例２を得た。
このパスポートのホログラム部分をハロゲンランプで照明し、目視で観察すると、鮮明なカラーホログラムである「カラー画像」を認識することができた。しかも、「所定情報」があることを見出すことは全くできなかった。
さらに、倍率５倍の拡大鏡で拡大して確認したところ、「所定情報」である「ＵＳＡＵＳＡＵＳＡ」を明確に判読することが出来、「カラー画像」との関連からこのパスポートが真正であると判断できた。
【００９６】
（実施例３）
「所定情報」を高さ１５０μｍの「ＵＳＡＵＳＡＵＳＡ」として、帯状に含め、画素パターンとして、「カラー画像」の回折格子角度に対して、１０度ずつずらした画素パターンデータを、「カラー画像」の画素パターンに挿入して用意した制御データにより、電子ビームの強度を変化させながら、「カラー画像データ」に沿って電子ビームを照射した以外は、実施例１と同様にして作成し、実施例３を得た。
このパスポートのホログラム部分をハロゲンランプで照明し、目視で観察すると、鮮明なカラーホログラムである「カラー画像」を認識することができた。しかも、「所定情報」があることを見出すことは全くできなかった。
さらに、倍率５倍の拡大鏡で拡大して確認したところ、「所定情報」である「ＵＳＡＵＳＡＵＳＡ」を明確に判読することが出来、「カラー画像」との関連からこのパスポートが真正であると判断できた。
【００９７】
（実施例４）
「所定情報」を高さ１５０μｍの「ＵＳＡＵＳＡＵＳＡ」として、帯状に含め、画素パターンとして、「カラー画像」の回折格子ピッチに対して、１０％ずつ大きくした画素パターンデータを、「カラー画像」の画素パターンに挿入して用意した制御データにより、電子ビームの強度を変化させながら、「カラー画像データ」に沿って電子ビームを照射した以外は、実施例１と同様にして作成し、実施例４を得た。
このパスポートのホログラム部分をハロゲンランプで照明し、目視で観察すると、鮮明なカラーホログラムである「カラー画像」を認識することができた。しかも、「所定情報」があることを見出すことは全くできなかった。
さらに、倍率５倍の拡大鏡で拡大して確認したところ、「所定情報」である「ＵＳＡＵＳＡＵＳＡ」を明確に判読することが出来、「カラー画像」との関連からこのパスポートが真正であると判断できた。
【００９８】
（実施例５）
「所定情報」を高さ１５０μｍの「ＵＳＡＵＳＡＵＳＡ」として、帯状に、且つ、文字間隔を３文字分あけると同時に改行して（階段状になる）含め、画素パターンとして、「カラー画像」の画素領域マトリックスサイズ、回折格子角度、回折格子ピッチをそれぞれ実施例２から実施例４と同様として作成した画素パターンデータを、「カラー画像」の画素パターンに挿入して用意した制御データにより、電子ビームの強度を変化させながら、「カラー画像データ」に沿って電子ビームを照射した以外は、実施例１と同様にして作成し、実施例５を得た。
このパスポートのホログラム部分をハロゲンランプで照明し、目視で観察すると、鮮明なカラーホログラムである「カラー画像」を認識することができた。しかも、「所定情報」があることを見出すことは全くできなかった。
さらに、倍率５倍の拡大鏡で拡大して確認したところ、「所定情報」である「ＵＳＡＵＳＡＵＳＡ」を明確に判読することが出来、「カラー画像」との関連からこのパスポートが真正であると判断できた。
【比較例】
【００９９】
（比較例）
実施例の内、「所定情報」を含ませずに処理し、同様のパスポートを得た。
この「カラー画像」を目視で観察すると、実施例と差異の無い「カラー画像」であった。
【図面の簡単な説明】
【０１００】
【図１】本発明の基本原理を説明するためのモノクロ画像のパターンおよび画素情報の一例を示す図である。
【図２】本発明に係る回折格子記録媒体に用いられる画素パターンの基本構成を示す図である。
【図３】図１に示すモノクロ画像を図２に示す画素パターンを用いて記録した回折格子記録媒体を示す頭である。
【図４】図３に示す回折格子記録媒体を作成するための貼り込み処理の概念を示す図である。
【図５】格子線配置角度θを変えることにより得られる種々の画素パターンの例を示す図である。
【図６】格子線配置ピッチｐを変えることにより得られる種々の画素パターンの例を示す図である。
【図７】回折格子から得られる回折光の観測方向と波長との関係を説明するための図である。
【図８】格子占有領域Ｖの面積を変えることにより得られる種々の画素パターンの例を示す図である。
【図９】本発明に係る回折格子記録媒体を作成するために用意した各原色ＲＧＢごとの画素パターンの一例を示す図である。
【図１０】本発明に係る回折格子記録媒体を作成するために利用する画素領域マトリックスの一例を示す図である。
【図１１】図１０（ａ）  に示す画素領域マトリックスに基づいて、実際に画素パターンを割り付けた状態を示す図である。
【図１２】本発明に係る回折格子記録媒体において表現されるもとの「カラー画像」の画素配列および各原色ごとの画素値の一例を示す図である。
【図１３】図１２に示す各画素値に対して、間引処理を実行した後の状態を示す図である。
【図１４】図１３に示す間引処理によって残った画素値の配列を示す図である。
【図１５】図１４に示す画素値配列に基づいて、各画素領域に所定の画素パターンを割り付けた一例を示す図である。
【図１６】図１２に示す各画素について、それぞれ３行３列からなる９つの画素領域を定義した状態を示す図である。
【図１７】図１６において定義した各画素領域に、所定の画素値を対応づけた状態を示す図である。
【図１８】本発明に係る回折格子記録媒体のより好ましい一態様を示す図である。
【図１９】同一の回折格子記録媒体上に２つの「カラー画像」を重複記録するための第１の手法を示す図である。
【図２０】同一の回折格子記録媒体上に２つの「カラー画像」を重複記録するための２つの手法の原理を示す図である。
【図２１】同一の回折格子記録媒体上に２つの「カラー画像」を重複記録するための第２の手法を示す図である。
【図２２】本発明に係る回折格子記録媒体を作成する装置の基本構成を示すブロック図である。
【図２３】は、本発明の実施形態の一例を示す「カラー画像」、「所定情報」及び画素領域マトリックスの模式図である。
【符号の説明】
【０１０１】
１…「カラー画像」生成部
２…「カラー画像」入力部
３…画素パターンファイル
４…パターン合成部
５…データフォーマット変換装置
６…電子ビーム描画装置
７…回折格子原版
８…プレス装置
９…回折格子記録媒体
１０…回折格子記録媒体
１１…絵柄領域
１２…位置合わせマーク
１３…観測角度指標領域
Ｐ１〜Ｐ１５…画素パターン
Ｖ…格子占有領域
【図１】
2010072384.tif 000003
【図２】
2010072384.tif 000004
【図３】
2010072384.tif 000005
【図４】
2010072384.tif 000006
【図５】
2010072384.tif 000007
【図６】
2010072384.tif 000008
【図７】
2010072384.tif 000009
【図８】
2010072384.tif 000010
【図９】
2010072384.tif 000011
【図１０】
2010072384.tif 000012
【図１１】
2010072384.tif 000013
【図１２】
2010072384.tif 000014
【図１３】
2010072384.tif 000015
【図１４】
2010072384.tif 000016
【図１５】
2010072384.tif 000017
【図１６】
2010072384.tif 000018
【図１７】
2010072384.tif 000019
【図１８】
2010072384.tif 000020
【図１９】
2010072384.tif 000021
【図２０】
2010072384.tif 000022
【図２１】
2010072384.tif 000023
【図２２】
2010072384.tif 000024
【図２３】
2010072384.tif 000025